(57)【要約】【課題】キュベットホイールが１回間欠回転した際に、複数の光源を横切って移動される複数の反応容器に保持された液体の光学的特性を波長の異なる複数の光によって測光可能とする測光装置及び自動分析装置を提供すること。【解決手段】容器を移動させながら、当該容器に保持された液体の光学的特性を波長の異なる複数の光によって測定する自動分析装置で使用する測光装置及び自動分析装置。測光装置１３は、容器５の移動方向に沿って配列されたそれぞれ出射波長の異なる複数の光源１３ｂと、容器を介して複数の光源と対向配置され、複数の光源から出射される波長の異なる複数の光を受光する受光素子１３ｄとを有し、複数の光源は、容器の移動方向に沿った配列長さＬが容器の配列ピッチＰよりも短く設定されている。【選択図】        図３
2008281392.tif 000002
【特許請求の範囲】
【請求項１】
容器を移動させながら、当該容器に保持された液体の光学的特性を波長の異なる複数の光によって測定する自動分析装置で使用する測光装置において、
前記容器の移動方向に沿って配列されたそれぞれ出射波長の異なる複数の光源と、
前記容器を介して前記複数の光源と対向配置され、前記複数の光源から出射される波長の異なる複数の光を受光する受光素子と、
を有し、前記複数の光源は、前記容器の移動方向に沿った配列長さが前記容器の配列ピッチよりも短く設定されていることを特徴とする測光装置。
【請求項２】
前記受光素子は、前記複数の光源と同数設けられることを特徴とする請求項１に記載の測光装置。
【請求項３】
前記複数の光源は、前記光学的特性の測定に使用される測定項目ごとに定められた光源の組間に測定に使用されない光源が少なくとも１つ配置されることを特徴とする請求項１に記載の測光装置。
【請求項４】
前記受光素子は、前記複数の光源の数よりも少ないことを特徴とする請求項１に記載の測光装置。
【請求項５】
前記複数の光源から出射された光が同一の受光素子に入射する場合、前記複数の光源は、前記同一の受光素子との間を１つの容器が通過する時間内に前記波長の異なる複数の光による前記光学的特性の測定が終了するように、時分割に点灯されることを特徴とする請求項４に記載の測光装置。
【請求項６】
前記複数の光源は、半導体光源であることを特徴とする請求項１に記載の測光装置。
【請求項７】
容器を移動させながら、当該容器に保持された液体の光学的特性を波長の異なる複数の光によって測定する自動分析装置において、
請求項１〜６のいずれか一つに記載の測光装置を備えることを特徴とする自動分析装置。
【発明の詳細な説明】
【技術分野】
【０００１】
本発明は、測光装置及び自動分析装置に関するものである。
【背景技術】
【０００２】
従来、自動分析装置は、測定対象に応じて異なる波長の光を用いて試薬と検液が反応した反応液を測光する測光装置を使用している。このような自動分析装置として、異なる波長の光を個々に出射する複数の光源と複数の受光素子とを対向させてキュベットホイールにセットした複数の反応容器と同じ中心角で配列方向に沿って配列した前分光方式の自動分析装置が知られている（例えば、特許文献１参照）。この自動分析装置は、キュベットホイールを間欠回転させながら反応容器を移動させる際に、前記反応容器が各光源から出射された異なる波長の光の光軸を横切る際の反応液の吸光度から検体の成分濃度等を分析する。
【０００３】
【特許文献１】実公平６−１９０７９号公報
【発明の開示】
【発明が解決しようとする課題】
【０００４】
ところで、特許文献１に開示された前分光方式の自動分析装置は、予め分光した異なる波長の光を複数の光源から出射する。このため、特許文献１の自動分析装置は、キュベットホイールを間欠回転させた際に、異なる波長の光を出射する複数の光源のうち一部の光源から出射された光軸しか横切らない反応容器が生じてしまうという問題がある。例えば、図９に示す測光装置は、光源Ｌ1〜Ｌ5から波長の異なる複数の光（波長λ1〜λ5）を個別に出射し、反応容器Ｃに保持された液体を透過した光を対向配置された受光素子Ｒ1〜Ｒ5によって受光する。
【０００５】
このとき、図９に示す測光装置は、説明を簡単にするため１〜２７の番号を反時計回りに付した２７個の反応容器ＣをキュベットホイールＨに配列し、１回の間欠回転毎に７個の反応容器Ｃを単位として移動させるものとする。ここで、１番の反応容器Ｃは、キュベットホイールＨの回転方向から見て光源Ｌ1，受光素子Ｒ1の直前に位置している。キュベットホイールＨが回転する前の光源Ｌ1〜Ｌ5、受光素子Ｒ1〜Ｒ5及び反応容器Ｃとの配置を、キュベットホイールＨの内側から見ると共に、複数の反応容器Ｃを直線上に配列した模式図として図１０に示す。
【０００６】
ところで、複数の反応容器Ｃに保持された液体の光学的特性を測定する際、キュベットホイールＨは、図１０に示す状態から、矢印で示す時計方向へ１回間欠回転する。すると、キュベットホイールＨに配列された複数の反応容器Ｃは、図１１に示すように、右方へ７個分移動される。この結果、１〜３番の反応容器Ｃは、光源Ｌ1〜Ｌ5を通過し、波長の異なる複数の光（波長λ1〜λ5）による液体の光学的特性の測定が終了する。しかし、４〜７番の反応容器Ｃは、一部の波長の光源しか通過せず、液体の光学的特性の測定が終了しない場合がある。
【０００７】
例えば、光源Ｌ1,Ｌ２及び受光素子Ｒ1,Ｒ2を測定に用いる場合には、図１１に示すように、１〜６番の反応容器Ｃは光学的特性の測定が終了し、７番の反応容器Ｃの光学的特性の測定が終了しない。
【０００８】
本発明は、上記に鑑みてなされたものであって、キュベットホイールが１回間欠回転した際に、複数の光源を横切って移動される複数の反応容器に保持された液体の光学的特性を波長の異なる複数の光によって測光可能とする測光装置及び自動分析装置を提供することを目的とする。
【課題を解決するための手段】
【０００９】
上述した課題を解決し、目的を達成するために、本発明の測光装置は、容器を移動させながら、当該容器に保持された液体の光学的特性を波長の異なる複数の光によって測定する自動分析装置で使用する測光装置において、前記容器の移動方向に沿って配列されたそれぞれ出射波長の異なる複数の光源と、前記容器を介して前記複数の光源と対向配置され、前記複数の光源から出射される波長の異なる複数の光を受光する受光素子と、を有し、前記複数の光源は、前記容器の移動方向に沿った配列長さが前記容器の配列ピッチよりも短く設定されていることを特徴とする。
【００１０】
また、本発明の測光装置は、上記の発明において、前記受光素子は、前記複数の光源と同数設けられることを特徴とする。
【００１１】
また、本発明の測光装置は、上記の発明において、前記複数の光源は、前記光学的特性の測定に使用される測定項目ごとに定められた光源の組間に測定に使用されない光源が少なくとも１つ配置されることを特徴とする。
【００１２】
また、本発明の測光装置は、上記の発明において、前記受光素子は、前記複数の光源の数よりも少ないことを特徴とする。
【００１３】
また、本発明の測光装置は、上記の発明において、前記複数の光源から出射された光が同一の受光素子に入射する場合、前記複数の光源は、前記同一の受光素子との間を１つの容器が通過する時間内に前記波長の異なる複数の光による前記光学的特性の測定が終了するように、時分割に点灯されることを特徴とする。
【００１４】
また、本発明の測光装置は、上記の発明において、前記複数の光源は、半導体光源であることを特徴とする。
【００１５】
また、上述した課題を解決し、目的を達成するために、本発明の自動分析装置は、容器を移動させながら、当該容器に保持された液体の光学的特性を波長の異なる複数の光によって測定する自動分析装置において、前記測光装置を備えることを特徴とする。
【発明の効果】
【００１６】
本発明の測光装置は、容器の移動方向に沿って配列されたそれぞれ出射波長の異なる複数の光源と、容器を介して複数の光源と対向配置され、複数の光源から出射される波長の異なる複数の光を受光する受光素子とを有し、複数の光源は、容器の移動方向に沿った配列長さが容器の配列ピッチよりも短く設定され、本発明の自動分析装置は、前記測光装置を備えている。このため、本発明の測光装置及び自動分析装置は、キュベットホイールが１回間欠回転した際に、複数の光源を横切って移動される複数の反応容器に保持された液体の光学的特性を波長の異なる複数の光によって測光することができるという効果を奏する。
【発明を実施するための最良の形態】
【００１７】
（実施の形態１）
以下、本発明の測光装置及び自動分析装置にかかる実施の形態１について、図面を参照して詳細に説明する。図１は、実施の形態１の自動分析装置の概略構成図である。図２は、本発明の測光装置をキュベットホイール及び制御部と共に示す模式図である。
【００１８】
自動分析装置１は、図１に示すように、試薬テーブル２，３、キュベットホイール４、検体容器移送機構１０、測光装置１３、洗浄機構１４、第一攪拌装置１５、第二攪拌装置１６及び制御部１７を備えている。
【００１９】
試薬テーブル２，３は、図１に示すように、それぞれ第一試薬の試薬容器２ａと第二試薬の試薬容器３ａが周方向に複数配置され、駆動手段に回転されて試薬容器２ａ，３ａを周方向に搬送する。複数の試薬容器２ａ，３ａは、それぞれ検査項目に応じた所定の試薬が満たされ、外面には収容した試薬の種類，ロット及び有効期限等の情報を表示する識別コードラベル（図示せず）が貼付されている。ここで、試薬テーブル２，３の外周には、試薬容器２ａ，３ａに貼付した識別コードラベルに記録された試薬情報を読み取り、制御部１７へ出力する読取装置が設置されている。
【００２０】
キュベットホイール４は、図１に示すように、複数の反応容器５が周方向に沿って配列され、パルスモータ７ｂ（図２参照）によって矢印で示す方向に間欠回転されて反応容器５を周方向に移動させる。キュベットホイール４は、例えば、図２に示すように、２７個の反応容器５を保持し、１回の間欠回転のタイミングで７個を単位として反応容器５を移動させ、４回間欠回転することによって１回転−１容器分回転する。キュベットホイール４は、反応容器５を保持する保持部と、ＬＥＤアレイ１３ａの各ＬＥＤ１３ｂが出射した光を受光素子アレイ１３ｃの対応する各受光素子１３ｄへ導く円形の開口からなる光路とを有している。
【００２１】
保持部は、キュベットホイール４の外周に周方向に沿って所定間隔で配置され、保持部に半径方向に延びる光路が形成されている。キュベットホイール４は、駆動部７によって作動が制御されている。即ち、駆動部７は、駆動回路７ａとキュベットホイール４を回転駆動させるパルスモータ７ｂとを備えており、駆動回路７ａを介してＣＰＵ等を使用した制御部６によってパルスモータ７ｂの駆動を制御することによりキュベットホイール４の間欠回転を制御している。
【００２２】
そして、測光装置１３を構成する複数のＬＥＤ１３ｂ及び複数の受光素子１３ｄと反応容器５との配置を、キュベットホイール４の内側から見ると共に、複数の反応容器５を直線上に配列した模式図として示すと図３のようになる。図３に示す矢印は、キュベットホイール４の回転による反応容器５の移動方向を示している。
【００２３】
反応容器５は、測光装置１３から出射された分析光（３４０〜８００ｎｍ）に含まれる光の８０％以上を透過する光学的に透明な素材、例えば、耐熱ガラスを含むガラス，環状オレフィンやポリスチレン等によって四角筒状に成形されたキュベットと呼ばれる容器である。反応容器５は、近傍に設けた試薬分注機構８，９によって試薬テーブル２，３の試薬容器２ａ，３ａから試薬が分注される。ここで、試薬分注機構８，９は、それぞれ水平面内を矢印方向に回動するアーム８ａ，９ａに試薬を分注するプローブ８ｂ，９ｂが設けられ、洗浄水によってプローブ８ｂ，９ｂを洗浄する洗浄手段を有している。
【００２４】
検体容器移送機構１０は、図１に示すように、配列された複数のラック１１を矢印方向に沿って１つずつ歩進させながら移送する。ラック１１は、検体を収容した複数の検体容器１１ａを保持している。ここで、検体容器１１ａは、検体容器移送機構１０によって移送されるラック１１の歩進が停止するごとに、水平方向に回動するアーム１２ａとプローブ１２ｂとを有する検体分注機構１２によって検体が各反応容器５へ分注される。このため、検体分注機構１２は、洗浄水によってプローブ１２ｂを洗浄する洗浄手段を有している。
【００２５】
測光装置１３は、試薬と検体とが反応した反応容器５内の液体試料に分析光（３４０〜８００ｎｍ）を透過させて分析するための光学系であり、図１及び図２に示すように、ＬＥＤアレイ１３ａ、受光素子アレイ１３ｃ及び測光制御部１３ｆを有している。
【００２６】
ＬＥＤアレイ１３ａは、図３及び図４に示すように、波長の異なる複数の光（波長λ1〜λ5）を個別に出射する複数のＬＥＤ１３ｂがアレイ状に配置されている。このとき、複数のＬＥＤ１３ｂは、左から波長λ1，λ2，……λ5の光を出射するように配列されている。また、ＬＥＤアレイ１３ａは、反応容器５が通過することによって波長の異なる複数の光（波長λ1〜λ5）が反応容器５に保持された液体試料を横切るように、図３に示すように、複数のＬＥＤ１３ｂの配列方向に沿った長さＬを反応容器５の配列ピッチＰよりも短く設定する。
【００２７】
受光素子アレイ１３ｃは、キュベットホイール４に配列した反応容器５を挟んで複数のＬＥＤ１３ｂと対向配置され、各ＬＥＤ１３ｂから出射された波長の異なる複数の光を個別に受光する複数の受光素子１３ｄが配列されている。受光素子アレイ１３ｃは、各受光素子１３ｄの受光側となる前面に対応するＬＥＤ１３ｂと隣り合うＬＥＤ１３ｂが出射した迷光の入射を遮断する干渉フィルター等の迷光遮断材１３ｅが設けられている。ここで、受光素子１３ｄとしては、例えば、フォトダイオードが使用される。
【００２８】
測光制御部１３ｆは、ＬＥＤアレイ１３ａの複数のＬＥＤ１３ｂの点灯を制御すると共に、複数の受光素子１３ｄが受光した光量を測光し、受光量に対応した光信号を制御部６へ出力するもので、例えば、ＥＣＵ等が使用される。制御部６は、受光素子１３ｄの受光量から吸光度を求め、制御部１７へ出力する。
【００２９】
洗浄機構１４は、ノズル１４ａによって反応容器５内の液体試料を吸引して排出した後、ノズル１４ａによって洗剤や洗浄水等の洗浄液等を繰り返し注入し、吸引することにより、測光装置１３による測光が終了した反応容器５を洗浄する。
【００３０】
第一攪拌装置１５及び第二攪拌装置１６は、分注された検体と試薬とを攪拌棒１５ａ，１６ａによって攪拌し、反応させる。
【００３１】
制御部１７は、演算機能，記憶機能，制御機能及び計時機能等を備えたマイクロコンピュータ等が使用され、試薬テーブル２，３、制御部６、試薬分注機構８，９、検体容器移送機構１０、検体分注機構１２、測光装置１３、洗浄機構１４、攪拌装置１５，１６、入力部１８及び表示部１９等と接続されている。制御部１７は、上記各部の作動を制御すると共に、制御部６から入力される波長ごとの吸光度から検体の成分濃度等を分析する。また、制御部１７は、試薬容器２ａ，３ａに貼付した識別コードラベルの記録から読み取った情報に基づき、試薬のロットが異なる場合や有効期限外等の場合に分析作業を停止するように自動分析装置１を制御し、或いはオペレータに警報を発する。
【００３２】
入力部１８は、検査項目や検体の測定項目に応じて測光に使用する波長、即ち、使用するＬＥＤ１３ｂの指定等を制御部１７へ入力する操作を行う部分であり、例えば、キーボードやマウス等が使用される。表示部１９は、分析内容，分析結果或いは警報等を表示するもので、ディスプレイパネル等が使用される。
【００３３】
以上のように構成される自動分析装置１は、間欠回転するキュベットホイール４によって周方向に沿って搬送されてくる複数の反応容器５に試薬分注機構８が試薬容器２ａから第一試薬を順次分注する。第一試薬が分注された反応容器５は、検体分注機構１２によってラック１１に保持された複数の検体容器１１ａから検体が順次分注される。検体が分注された反応容器５は、キュベットホイール４の間欠回転が停止する都度、第一攪拌装置１５によって攪拌されて第一試薬と検体が反応する。第一試薬と検体が攪拌された反応容器５は、試薬分注機構９によって試薬容器３ａから第二試薬が順次分注された後、キュベットホイール４の間欠回転停止時に第二攪拌装置１６によって攪拌され、更に反応が促進される。
【００３４】
このとき、測光装置１３は、ＬＥＤアレイ１３ａの複数のＬＥＤ１３ｂの配列方向に沿った長さが反応容器５の配列ピッチＰよりも短く設定されている。このため、測光装置１３は、キュベットホイール４が間欠回転すると、７個を単位として移動する反応容器５の総てがＬＥＤアレイ１３ａを通過して移動する。このため、測光装置１３は、複数のＬＥＤ１３ｂが出射する波長の異なる複数の光（波長λ1〜λ5）が７個の反応容器５に保持された液体試料を横切り、波長の異なる複数の光によって光学的特性が測定される。
【００３５】
従って、自動分析装置１は、複数の光源と複数の受光素子とを対向させてキュベットホイールにセットした複数の反応容器と同じ中心角で配列方向に沿って配列する従来の自動分析装置に比べると、１回の間欠回転のタイミングで移動される７個の反応容器５の総てを波長の異なる複数の光によって測光することができる。しかも、測光装置１３は、光源として半導体光源、即ち、ＬＥＤを使用しているので、測光装置１３自体を小型化できることに加えてキュベットホイール４も小さくすることができ、自動分析装置１全体を小型化することが可能となる。
【００３６】
ここで、一般に、自動分析装置１は、測定項目に応じて異なる２波長の光の組によって反応容器５に保持された液体試料の光学的特性を測定する。例えば、測定する２波長の光の組を（λ1，λ2）、（λ2，λ3）、（λ3，λ4）、（λ4，λ5）とした場合、出射する光の波長がλ1，λ2……λ5となるように複数のＬＥＤ１３ｂを配置した図４のＬＥＤアレイ１３ａでは、隣り合うＬＥＤ１３ｂが出射した光が対をなしていない受光素子１３ｄへ迷光として入射する可能性がある。
【００３７】
従って、このような迷光の入射を遮断するため、ＬＥＤアレイ１３ａを、図５に示すように、複数のＬＥＤ１３ｂを左から波長λ1，λ4，λ2，λ5，λ3の光を出射するように測定に使用される光源の組間に、測定に使用されない光源が少なくとも一つ配置されるように配列する。このように複数のＬＥＤ１３ｂを配列した測光装置１３を使用すると、自動分析装置１は、光学的特性を測定する際の迷光の影響が無くなり、分析精度が向上する。
【００３８】
（実施の形態２）
次に、本発明の測光装置及び自動分析装置にかかる実施の形態２について、図面を参照して詳細に説明する。実施の形態１の測光装置は、光源の数と受光素子の数が同じであったが、実施の形態２の測光装置は、受光素子の数が光源の数よりも少ない。図６は、測光装置を構成する複数のＬＥＤ及び複数の受光素子と反応容器との配置を、キュベットホイールの内側から見ると共に、複数の反応容器を直線上に配列した模式図である。ここで、実施の形態２以降の自動分析装置は、測光装置の構成が部分的に異なるだけで実施の形態１の自動分析装置及び測光装置と実質的な構成は同一であるので、同一の構成部分に同一の符号を付している。
【００３９】
実施の形態２の測光装置２０は、図６に示すように、ＬＥＤアレイ１３ａ、受光素子アレイ１３ｃ及び測光制御部１３ｆを有している。ＬＥＤアレイ１３ａは、左から順に波長λ1，λ4，λ2，λ5，λ3の光を出射する複数のＬＥＤ１３ｂを配列した図５に示す受光素子アレイ１３ｃ使用している。また、受光素子アレイ１３ｃは、波長λ1の光を出射するＬＥＤ１３ｂと対向配置される受光素子１３ｄ、波長λ4，λ2の光を出射するＬＥＤ１３ｂと対向配置される受光素子１３ｄ、波長λ5，λ3の光を出射するＬＥＤ１３ｂと対向配置される受光素子１３ｄ、の３つの受光素子１３ｄを有している。このとき、測光装置２０は、（λ1，λ2）、（λ2，λ3）、（λ3，λ4）、（λ4，λ5）からなる異なる２波長の光の組によって反応容器５に保持された液体試料の光学的特性を測定するものとする。
【００４０】
このため、測光装置２０は、液体試料の光学的特性を測定する場合、波長の異なる２つの光が同時に同一の受光素子１３ｄに入射することはない。このため、測光装置２０は、実施の形態１における効果に加えて、３つの受光素子１３ｄで液体試料の光学的特性を測定することができ、受光素子の数を減らすことができる。また、５つのＬＥＤ１３ｂは、光学的特性の測定に使用される（点灯される）２つのＬＥＤ１３ｂの間に測定に使用されない（点灯されない）光源が少なくとも１つ配置され、点灯される２つのＬＥＤ１３ｂの間隔が広くなる。このため、測光装置２０においては、ＬＥＤ１３ｂが出射された光は対をなしている受光素子１３ｄだけに入射し、他のＬＥＤ１３ｂが出射した光が迷光として入射することはないので、測光精度がより向上する。
【００４１】
（実施の形態３）
次に、本発明の測光装置及び自動分析装置にかかる実施の形態３について、図面を参照して詳細に説明する。実施の形態２の測光装置は、光源の数が５つであるのに対し、受光素子の数が３つであったが、実施の形態３の測光装置は、受光素子の数が１つである。図７は、測光装置を構成する複数のＬＥＤ及び複数の受光素子と反応容器との配置を、キュベットホイールの内側から見ると共に、複数の反応容器を直線上に配列した模式図である。図８は、光学的特性の測定に使用する２つの光源の１点灯周期における点灯タイミングを示す図である。
【００４２】
実施の形態３の測光装置２５は、図７に示すように、ＬＥＤアレイ１３ａ、受光素子１３ｄ及び測光制御部１３ｆを有しており、反応容器５に保持された液体試料の光学的特性を測定する際は、測光制御部１３ｆによってＬＥＤアレイ１３ａを制御し、５つのＬＥＤ１３ｂを時分割に点灯する。
【００４３】
例えば、測光装置２５は、光学的（λ1，λ2）からなる２波長の光の組によって反応容器５に保持された液体試料の光学的特性を測定する場合、図８に示すように、１点灯周期Ｔに測光制御部１３ｆによって波長λ1の光を出射するＬＥＤ１３ｂと波長λ2の光を出射するＬＥＤ１３ｂの点灯（オン，オフ）を制御する。このとき、測光制御部１３ｆは、波長λ3〜λ5の光を個々に出射する３つのＬＥＤ１３ｂはオフしておく。
【００４４】
このように、測光装置２５は、実施の形態１における効果に加え、光学的特性の測定に使用する複数のＬＥＤ１３ｂを時分割に点灯することによって受光素子１３ｄを１つに減らすことができる。
【００４５】
なお、自動分析装置は、２つの試薬テーブルを備え、２種類の試薬を用いる場合について説明したが、試薬テーブルは１つでもよく、１つの試薬テーブルに第一試薬の試薬容器と第二試薬の試薬容器を載せるか、又は１つの試薬テーブルに１種類の試薬容器を載せるようにしてもよい。
【００４６】
また、自動分析装置は、半導体光源としてＬＥＤを使用したが、半導体レーザを使用してもよい。更に、キュベットホイール４の１回の間欠回転によってＬＥＤアレイ１３ａが出射する光を横切る反応容器５の数や、測光装置を構成するＬＥＤ１３ｂや受光素子１３ｄの数は、実施の形態の数に限定されるものではない。
【図面の簡単な説明】
【００４７】
【図１】実施の形態１の自動分析装置の概略構成図である。
【図２】本発明の測光装置をキュベットホイール及び制御部と共に示す模式図である。
【図３】測光装置を構成する複数のＬＥＤ及び複数の受光素子と反応容器との配置を、キュベットホイールの内側から見ると共に、複数の反応容器を直線上に配列した模式図である。
【図４】ＬＥＤアレイを構成する複数のＬＥＤが出射する波長の異なる複数の光の波長の配列順を示す図である。
【図５】ＬＥＤアレイを構成する複数のＬＥＤが出射する波長の異なる複数の光の他の波長の配列順を示す図である。
【図６】実施の形態２の測光装置における測光装置を構成する複数のＬＥＤ及び複数の受光素子と反応容器との配置を、キュベットホイールの内側から見ると共に、複数の反応容器を直線上に配列した模式図である。
【図７】実施の形態３の測光装置における測光装置を構成する複数のＬＥＤ及び複数の受光素子と反応容器との配置を、キュベットホイールの内側から見ると共に、複数の反応容器を直線上に配列した模式図である。
【図８】光学的特性の測定に使用する２つの光源の１点灯周期における点灯タイミングを示す図である。
【図９】従来の測光装置の測光方法を説明するもので、キュベットホイール及び分析光学系を示す模式図である。
【図１０】図９の測光装置を構成する複数のＬＥＤ及び複数の受光素子と反応容器の配置を、キュベットホイールの内側から見ると共に、複数の反応容器を直線上に配列した模式図である。
【図１１】キュベットホイールを図１０に示す位置から間欠回転させた後の模式図である。
【符号の説明】
【００４８】
１            自動分析装置
２，３        試薬テーブル
４            キュベットホイール
５            反応容器
６            制御部
７            駆動部
７ａ          駆動回路
７ｂ          パルスモータ
８，９        試薬分注機構
１０          検体容器移送機構
１１          ラック
１１ａ        検体容器
１２          検体分注機構
１３          測光装置
１３ａ        ＬＥＤアレイ
１３ｂ        ＬＥＤ
１３ｃ        受光素子アレイ
１３ｄ        受光素子
１３ｅ        迷光遮断材
１３ｆ        測光制御部
１４          洗浄機構
１５，１６    攪拌装置
１７          制御部
１８          入力部
１９          表示部
Ｐ            反応容器の配列ピッチ
【図１】
2008281392.tif 000003
【図２】
2008281392.tif 000004
【図３】
2008281392.tif 000005
【図４】
2008281392.tif 000006
【図５】
2008281392.tif 000007
【図６】
2008281392.tif 000008
【図７】
2008281392.tif 000009
【図８】
2008281392.tif 000010
【図９】
2008281392.tif 000011
【図１０】
2008281392.tif 000012
【図１１】
2008281392.tif 000013